(57)【要約】  ２以上の基地局が共通する内容のデータを送信する場合の品質低下を抑制する。  基地局（２０，２０ａ）は、自局が無線通信に用いる第１の周波数帯域についての情報を通信制御装置（１０）に通知する。通信制御装置（１０）は、基地局（２０，２０ａ）から取得した第１の周波数帯域についての情報に基づいて、基地局（２０，２０ａ）が共通する内容のデータを送信するために用いる第２の周波数帯域を選択し、選択した第２の周波数帯域についての情報を基地局（２０，２０ａ）に通知する。基地局（２０，２０ａ）は、通信制御装置（１０）から取得した第２の周波数帯域についての情報に基づいて、データ送信を制御する。
2012063317.tif 000002
【特許請求の範囲】
【請求項１】
通信制御装置（１０）と複数の基地局と無線受信装置（３０）とを含み、前記複数の基地局のうちの２以上の基地局（２０，２０ａ）が共通する内容のデータを共通の周波数を用いて前記無線受信装置（３０）に送信する無線通信システムであって、
前記２以上の基地局（２０，２０ａ）それぞれは、自局が無線通信に用いる第１の周波数帯域についての情報を前記通信制御装置（１０）に通知し、前記通信制御装置（１０）から通知された第２の周波数帯域についての情報に基づいて、前記共通する内容のデータの送信を制御する第１の制御部（２２）を有し、
前記通信制御装置（１０）は、前記２以上の基地局（２０，２０ａ）から通知された前記第１の周波数帯域についての情報に基づいて、前記共通する内容のデータの送信に用いる前記第２の周波数帯域を選択する第２の制御部（１１）と、選択された前記第２の周波数帯域についての情報を前記２以上の基地局に通知する通知部（１２）と、を有する、
ことを特徴とする無線通信システム。
【請求項２】
前記第２の周波数帯域は、前記２以上の基地局の前記第１の周波数帯域に共通に含まれる周波数帯域から選択されることを特徴とする請求の範囲第１項記載の無線通信システム。
【請求項３】
前記第２の周波数帯域についての情報には、前記第２の周波数帯域の帯域幅、または、前記第２の周波数帯域の中心周波数および帯域幅を示す情報が含まれることを特徴とする請求の範囲第１項記載の無線通信システム。
【請求項４】
前記第２の制御部（１１）は、前記第１の周波数帯域についての情報に基づいて、前記共通する内容のデータの送信に使用可能な周波数帯域を算出し、前記使用可能な周波数帯域と前記共通する内容のデータの送信状況とに基づいて、前記第２の周波数帯域を選択することを特徴とする請求の範囲第１項記載の無線通信システム。
【請求項５】
前記第１の制御部（２２）は、自局の前記第１の周波数帯域が変更されると、変更後の前記第１の周波数帯域についての情報を前記通信制御装置（１０）に通知し、
前記第２の制御部（１１）は、変更後の前記第１の周波数帯域についての情報に基づいて、前記使用可能な周波数帯域を再計算する、
ことを特徴とする請求の範囲第４項記載の無線通信システム。
【請求項６】
前記第２の制御部（１１）は、前記複数の基地局のうち前記共通する内容のデータを送信する基地局が変更されると、前記使用可能な周波数帯域を再計算することを特徴とする請求の範囲第４項記載の無線通信システム。
【請求項７】
前記第１の制御部（２２）は、前記通信制御装置（１０）から通知された前記第２の周波数帯域についての情報を、前記無線受信装置（３０）に通知し、
前記無線受信装置（３０）は、前記第２の周波数帯域についての情報に基づいて、前記２以上の基地局（２０，２０ａ）からの前記共通する内容のデータの受信を制御する第３の制御部（３１）を有する、
ことを特徴とする請求の範囲第１項記載の無線通信システム。
【請求項８】
前記通信制御装置（１０）は、前記複数の基地局のうちの少なくとも１つの基地局に備えられた装置であることを特徴とする請求の範囲第１項記載の無線通信システム。
【請求項９】
共通する内容のデータを共通の周波数を用いて送信する２以上の基地局（２０，２０ａ）それぞれから、当該基地局が無線通信に用いる第１の周波数帯域についての情報を取得し、前記第１の周波数帯域についての情報に基づいて、前記共通する内容のデータの送信に用いる第２の周波数帯域を選択する制御部（１１）と、
前記制御部（１１）で選択された前記第２の周波数帯域についての情報を前記２以上の基地局（２０，２０ａ）に通知する通知部（１２）と、
を有することを特徴とする通信制御装置。
【請求項１０】
通信制御装置（１０）と複数の基地局と無線受信装置（３０）とを含み、前記複数の基地局のうちの２以上の基地局（２０，２０ａ）が共通する内容のデータを共通の周波数を用いて前記無線受信装置（３０）に送信する無線通信システムで用いられる基地局であって、
前記通信制御装置（１０）からの指示に応じて、前記共通する内容のデータを送信する送信部（２１）と、
自局が無線通信に用いる第１の周波数帯域についての情報を前記通信制御装置（１０）に通知し、前記共通する内容のデータの送信に用いる前記第２の周波数帯域についての情報を前記通信制御装置（１０）から取得し、前記第２の周波数帯域についての情報に基づいて、前記送信部（２１）による前記共通する内容のデータの送信を制御する制御部（２２）と、
を有することを特徴とする基地局。
【請求項１１】
通信制御装置（１０）と複数の基地局と無線受信装置（３０）とを含み、前記複数の基地局のうちの２以上の基地局（２０，２０ａ）が共通する内容のデータを共通の周波数を用いて前記無線受信装置（３０）に送信する無線通信システムの無線通信方法であって、
前記２以上の基地局（２０，２０ａ）それぞれが、自局が無線通信に用いる第１の周波数帯域についての情報を前記通信制御装置（１０）に通知し、
前記通信制御装置（１０）が、前記２以上の基地局（２０，２０ａ）から通知された前記第１の周波数帯域についての情報に基づいて、前記共通する内容のデータの送信に用いる第２の周波数帯域を選択し、選択した前記第２の周波数帯域についての情報を前記２以上の基地局（２０，２０ａ）に通知し、
前記２以上の基地局（２０，２０ａ）が、前記通信制御装置（１０）から通知された前記第２の周波数帯域についての情報に基づいて、前記共通する内容のデータの送信を行う、
ことを特徴とする無線通信方法。
【発明の詳細な説明】
【技術分野】
【０００１】
本発明は、無線通信システム、通信制御装置、基地局および無線通信方法に関する。
【背景技術】
【０００２】
現在、携帯電話システムや無線ＬＡＮ（Local Area Network）などの無線通信システムが広く利用されている。また、無線通信の更なる高速化・大容量化を図るべく、次世代の無線通信技術について活発な議論が行われている。例えば、国際標準化団体の１つである３ＧＰＰ（3rd Generation Partnership Project）では、最大で２０ＭＨｚの周波数帯域を用いたデータ通信が可能なＬＴＥ（Long Term Evolution）と呼ばれる通信規格が提案されている。また、ＬＴＥの次世代の通信規格として、最大で２０ＭＨｚの周波数帯域を５つ（１００ＭＨｚ）用いたデータ通信が可能なＬＴＥ−Ａ（Long Term Evolution-Advanced）と呼ばれる通信規格が提案されている。【０００３】
ＬＴＥやＬＴＥ−Ａでは、ＭＢＳＦＮ（Multimedia Broadcast multicast service Single Frequency Network）と呼ばれるデータ送信方法が検討されている。ＭＢＳＦＮ送信を行う無線通信システムでは、複数の基地局を含むＭＢＳＦＮエリアが１つ以上形成される。同じＭＢＳＦＮエリアに属する複数の基地局は、同一内容のデータを同一タイミングで同一周波数かつ同一変調方式を用いて送信する。ＭＢＳＦＮで送信されるデータは、例えば、ＭＢＭＳ（Multimedia Broadcast Multicast Service）データと呼ばれる。移動局は、複数の基地局から送信されたＭＢＭＳデータ信号を合成して復調・復号することで、ＭＢＭＳデータの受信品質を向上させることができる。【０００４】
なお、ＬＴＥに関して、移動局によって送受信に使用可能な周波数帯域が異なるとき、複数のセルを運用する基地局が移動局から能力情報を取得し、能力情報に基づいて移動局の移動先のセルを決定する技術が提案されている（例えば、特許文献１参照）。また、ＭＢＳＦＮに関して、ＭＢＳＦＮエリア内のセルのうち移動局への無線リソースの割り当てを行うサービングセルにおいて、ＭＢＭＳサービスが提供されている周波数を移動局に通知する技術が提案されている（例えば、特許文献２参照）。また、ＭＢＳＦＮに関して、ＭＣＥ（Multi-cell/multicast Coordination Entity）と呼ばれる制御装置が、移動局で評価されたＭＢＭＳサービス品質の報告を基地局経由で収集し、収集した報告に基づいて無線リソースの設定を行う技術が提案されている（例えば、特許文献３参照）。
【先行技術文献】
【特許文献】
【０００５】
【特許文献１】国際公開第２００８／０２３６１３号
【特許文献２】特開２００９−１８２９４４号公報
【特許文献３】特開２００９−２４６５２６号公報
【発明の概要】
【発明が解決しようとする課題】
【０００６】
ところで、複数の基地局が同一内容のデータを同一の周波数を用いて送信することがある無線通信システムでは、ＭＣＥのような通信制御装置が、当該同一内容のデータの送信に用いる周波数帯域を選択して複数の基地局に指示することが考えられる。一方で、基地局が無線通信に使用する周波数帯域は、基地局によって異なる可能性がある。例えば、基地局によって、１０ＭＨｚ，１５ＭＨｚ，２０ＭＨｚなど帯域幅が異なる可能性がある。また、基地局によって、使用する周波数帯域の中心周波数が異なる可能性もある。【０００７】
そのため、通信制御装置は、上記同一内容のデータの送信に用いる周波数帯域をどのように選択すればよいかが問題となる。例えば、通信制御装置が１５ＭＨｚ幅の周波数帯域を選択する一方で、１０ＭＨｚ幅の周波数帯域を使用する基地局が存在するとする。この場合、無線リソースの不足により、上記同一内容のデータのうち最大で５ＭＨｚ分のデータを送信できない基地局が存在することになる。よって、２以上の基地局が送信する同一内容のデータの無線受信装置での受信品質が低下するおそれがあるという問題がある。【０００８】
本発明はこのような点に鑑みてなされたものであり、２以上の基地局が共通する内容のデータを送信する場合の品質低下を抑制できる無線通信システム、通信制御装置、基地局および無線通信方法を提供することを目的とする。
【課題を解決するための手段】
【０００９】
上記課題を解決するために、通信制御装置と複数の基地局と無線受信装置とを含み、複数の基地局のうちの２以上の基地局が共通する内容のデータを共通の周波数を用いて無線受信装置に送信する無線通信システムが提供される。２以上の基地局それぞれは、自局が無線通信に用いる第１の周波数帯域についての情報を通信制御装置に通知し、通信制御装置から通知された第２の周波数帯域についての情報に基づいて、共通する内容のデータの送信を制御する第１の制御部を有する。通信制御装置は、２以上の基地局から通知された第１の周波数帯域についての情報に基づいて、共通する内容のデータの送信に用いる第２の周波数帯域を選択する第２の制御部と、選択された第２の周波数帯域についての情報を２以上の基地局に通知する通知部とを有する。【００１０】
また、制御部と通知部とを有する通信制御装置が提供される。制御部は、共通する内容のデータを共通の周波数を用いて送信する２以上の基地局それぞれから、当該基地局が無線通信に用いる第１の周波数帯域についての情報を取得し、第１の周波数帯域についての情報に基づいて、共通する内容のデータの送信に用いる第２の周波数帯域を選択する。通知部は、制御部で選択された第２の周波数帯域についての情報を２以上の基地局に通知する。【００１１】
また、通信制御装置と複数の基地局と無線受信装置とを含み、複数の基地局のうちの２以上の基地局が共通する内容のデータを共通の周波数を用いて無線受信装置に送信する無線通信システムで用いられる基地局が提供される。基地局は、通信制御装置からの指示に応じて、共通する内容のデータを送信する送信部と、自局が無線通信に用いる第１の周波数帯域についての情報を通信制御装置に通知し、共通する内容のデータの送信に用いる第２の周波数帯域についての情報を通信制御装置から取得し、第２の周波数帯域についての情報に基づいて、送信部による共通する内容のデータの送信を制御する制御部とを有する。【００１２】
また、通信制御装置と複数の基地局と無線受信装置とを含み、複数の基地局のうちの２以上の基地局が共通する内容のデータを共通の周波数を用いて無線受信装置に送信する無線通信システムの無線通信方法が提供される。２以上の基地局それぞれが、自局が無線通信に用いる第１の周波数帯域についての情報を通信制御装置に通知する。通信制御装置が、２以上の基地局から通知された第１の周波数帯域についての情報に基づいて、共通する内容のデータの送信に用いる第２の周波数帯域を選択し、選択した第２の周波数帯域についての情報を２以上の基地局に通知する。２以上の基地局が、通信制御装置から通知された第２の周波数帯域についての情報に基づいて、共通する内容のデータの送信を行う。
【発明の効果】
【００１３】
上記無線通信システム、通信制御装置、基地局および無線通信方法によれば、２以上の基地局が共通する内容のデータを送信する場合の品質低下を抑制できる。
本発明の上記および他の目的、特徴および利点は本発明の例として好ましい実施の形態を表す添付の図面と関連した以下の説明により明らかになるであろう。
【図面の簡単な説明】
【００１４】
【図１】第１の実施の形態の無線通信システムを示す図である。
【図２】第２の実施の形態の移動通信システムを示す図である。
【図３】ＭＢＳＦＮエリアの設定例を示す図である。
【図４】無線フレームの構造例を示す図である。
【図５】サブフレームの構造例を示す図である。
【図６】シンボルの構造例を示す図である。
【図７】ＭＢＭＳデータ信号の合成方法を示す図である。
【図８】周波数帯域の設定例を示す図である。
【図９】ＭＣＥを示すブロック図である。
【図１０】基地局を示すブロック図である。
【図１１】基地局のＭＢＳＦＮ制御部を示すブロック図である。
【図１２】移動局を示すブロック図である。
【図１３】ＭＣＥの帯域制御を示すフローチャートである。
【図１４】基地局の帯域制御を示すフローチャートである。
【図１５】移動局の帯域制御を示すフローチャートである。
【図１６】第２の実施の形態の通信の流れを示すシーケンス図である。
【図１７】第２の実施の形態の通信の流れを示すシーケンス図（続き）である。
【図１８】ＭＢＳＦＮ帯域の第１の設定例を示す図である。
【図１９】ＭＢＳＦＮ帯域の第２の設定例を示す図である。
【図２０】ＭＣＥの第１の変形例を示すブロック図である。
【図２１】ＭＣＥの第２の変形例を示すブロック図である。
【図２２】コンポーネントキャリアの設定例を示す図である。
【図２３】ＭＭＥを示すブロック図である。
【図２４】第３の実施の形態の通信の流れを示すシーケンス図である。
【発明を実施するための形態】
【００１５】
以下、本実施の形態を、図面を参照して説明する。
［第１の実施の形態］
図１は、第１の実施の形態の無線通信システムを示す図である。第１の実施の形態の無線通信システムは、通信制御装置１０、基地局２０，２０ａを含む複数の基地局および無線受信装置３０を有する。通信制御装置１０は、例えば、ＭＣＥである。通信制御装置１０は、複数の基地局とは独立した装置でもよいし、複数の基地局の少なくとも１つに搭載されていてもよい。基地局２０，２０ａは、共通する内容のデータ（例えば、同一内容のデータ、部分的に同一内容のデータなど）を共通の周波数（例えば、同一の周波数など）を用いて、無線受信装置３０に送信する。例えば、基地局２０，２０ａは、ＭＢＳＦＮ送信を行う。なお、無線受信装置３０は、移動無線通信装置でも、固定無線通信装置でもよい。
【００１６】
通信制御装置１０は、制御部１１および通知部１２を有する。制御部１１は、基地局２０，２０ａから、各基地局が無線受信装置３０との無線通信に用いる周波数帯域（第１の周波数帯域）についての情報を取得してもよい。第１の周波数帯域は、基地局２０と基地局２０ａとで異なる可能性がある。そして、制御部１１は、取得した第１の周波数帯域についての情報に基づいて、基地局２０，２０ａによる共通する内容のデータの送信に用いる周波数帯域（第２の周波数帯域）を選択してもよい。通知部１２は、制御部１１で選択された第２の周波数帯域についての情報を、基地局２０，２０ａに通知することができる。
【００１７】
基地局２０は、送信部２１および制御部２２を有する。基地局２０ａも、基地局２０と同様に送信部および制御部を有する。送信部２１は、通信制御装置１０の制御のもとで、基地局２０ａと共通する内容のデータを共通の周波数を用いて無線受信装置３０に送信してもよい。制御部２２は、基地局２０の第１の周波数帯域についての情報を通信制御装置１０に通知し、第２の周波数帯域についての情報を通信制御装置１０から取得してもよい。制御部２２は、取得した第２の周波数帯域についての情報に基づいて、送信部２１によるデータ送信を制御することができる。例えば、第２の周波数帯域の範囲内でデータ信号のマッピングを行ってもよい。制御部２２は、第２の周波数帯域についての情報を無線受信装置３０に通知してもよい。
【００１８】
無線受信装置３０は、基地局２０，２０ａが送信したデータ信号を合成して、データを抽出することができる。無線受信装置３０は、制御部３１を有する。制御部３１は、基地局２０（または基地局２０ａ）から第２の周波数帯域についての情報が通知された場合、第２の周波数帯域についての情報に基づいて、基地局２０，２０ａが協調して送信したデータの受信を制御してもよい。例えば、通知された第２の周波数帯域のデータ信号を抽出するよう制御するかもしれない。
【００１９】
ここで、複数の基地局は、第１の周波数帯域の中心周波数（または、最高周波数、最低周波数など）を略同じにすることができる。第１の周波数帯域の帯域幅は、基地局によって異なってもよい。その場合、基地局２０，２０ａは、第１の周波数帯域についての情報、例えば第１の周波数帯域の帯域幅を示す情報を通知してもよい。通信制御装置１０は、第２の周波数帯域についての情報、例えば第２の周波数帯域の帯域幅を示す情報を通知することができる。
【００２０】
また、複数の基地局は、第１の周波数帯域の中心周波数を相互に異ならせてもよい。その場合、例えば、基地局２０，２０ａは、第１の周波数帯域についての情報として、第１の周波数帯域の中心周波数と帯域幅とを示す情報を通知してもよい。通信制御装置１０は、第２の周波数帯域についての情報として、第２の周波数帯域の中心周波数と帯域幅とを示す情報を通知してもよい。ただし、第１および第２の周波数帯域の指定方法は、上記方法に限定されない。例えば、複数の基地局が使用し得る周波数帯域を、複数の区間に分けて各区間に識別記号を対応付けておき、使用する区間の識別記号を通知してもよい。
【００２１】
第２の周波数帯域は、例えば、基地局２０の第１の周波数帯域と基地局２０ａの第１の周波数帯域とに共通に含まれる周波数帯域（基地局２０，２０ａが共に使用する周波数帯域）から選択してもよい。制御部１１は、共通の周波数帯域全体を第２の周波数帯域として選択してもよい。また、共通の周波数帯域を使用可能な周波数帯域と判定し、データの送信状況に応じて、使用可能な周波数帯域の一部または全部を選択してもよい。なお、共通する内容のデータを送信する２以上の基地局の全てが共通に使用する周波数帯域が存在しない場合、最も多くの基地局が共通に使用している周波数帯域を選択してもよい。
【００２２】
第１の周波数帯域についての情報は、例えば、基地局２０，２０ａの運用開始の際に、基地局２０，２０ａから通信制御装置１０に通知してもよい。また、基地局２０，２０ａの第１の周波数帯域が変更されたとき、基地局２０，２０ａから通信制御装置１０に通知してもよい。制御部１１は、変更後の第１の周波数帯域についての情報を取得すると、第２の周波数帯域（または、第２の周波数帯域として使用可能な周波数帯域）を再計算するかもしれない。また、共通する内容のデータ送信する基地局が変更になったとき、再計算を行ってもよい。
【００２３】
例えば、基地局２０の第１の周波数帯域の帯域幅が１０ＭＨｚであり、基地局２０ａの第１の周波数帯域の帯域幅が２０ＭＨｚであり、両者の中心周波数は同じであるとする。制御部１１は、共通する内容のデータを送信する基地局２０，２０ａの中で最小の帯域幅である１０ＭＨｚを、例えば、当該共通する内容のデータの送信に用いる第２の周波数帯域の帯域幅として選択することができる。これにより、基地局２０，２０ａは共に、共通する内容のデータを送信するための１０ＭＨｚ分の無線リソースを確保することが容易になる。なお、基地局２０の第１の周波数帯域が変更になった場合や、基地局２０が上記共通する内容のデータを送信しないこととなった場合には、制御部１１は、第２の周波数帯域の帯域幅を再計算してもよい。
【００２４】
第１の実施の形態の無線通信システムでは、基地局２０，２０ａそれぞれが、自局が無線通信に用いる第１の周波数帯域についての情報を通信制御装置１０に通知することができる。通信制御装置１０は、基地局２０，２０ａから通知された第１の周波数帯域についての情報に基づいて、共通する内容のデータの送信に用いる第２の周波数帯域を選択することができる。そして、通信制御装置１０は、選択した第２の周波数帯域についての情報を基地局２０，２０ａに通知することができる。基地局２０，２０ａは、通信制御装置１０から通知された第２の周波数帯域についての情報に基づいて、共通する内容のデータを送信することができる。
【００２５】
これにより、通信制御装置１０は、基地局２０，２０ａの第１の周波数帯域の設定状況を把握し、基地局２０，２０ａに対して第２の周波数帯域を適切に指定できる。よって、基地局２０，２０ａの中に無線リソースが不足してデータの一部を送信できない基地局が存在する可能性を低減でき、無線受信装置３０における受信品質の低下を抑制できる。また、第１の周波数帯域として設定され得る最小の帯域幅の周波数帯域を想定して第２の周波数帯域を選択する場合と比べて、第２の周波数帯域の帯域幅が過度に狭くなることを抑制でき、基地局２０，２０ａの無線リソースを効率的に利用できる。また、通信制御装置１０は、第１の周波数帯域の設定変更に対しても動的に対応可能である。
【００２６】
なお、第１の実施の形態の無線通信システムは、ＬＴＥシステムやＬＴＥ−Ａシステムとして実装することが可能である。以下に説明する第２および第３の実施の形態では、ＬＴＥまたはＬＴＥ−Ａを想定した移動通信システムの例を挙げる。
【００２７】
［第２の実施の形態］
図２は、第２の実施の形態の移動通信システムを示す図である。第２の実施の形態の移動通信システムは、ＭＣＥ１００、基地局２００，２００ａ，２００ｂを含む複数の基地局、移動局３００、ＭＭＥ（Mobility Management Entity）４１、ＭＢＭＳゲートウェイ４２およびＳＡＥ（System Architecture Evolution）ゲートウェイ４３を有する。ＭＣＥ１００は、前述の通信制御装置１０の一例である。移動局３００は、前述の無線受信装置３０の一例である。
【００２８】
ＭＣＥ１００は、ＭＢＳＦＮ送信を制御する通信制御装置である。ＭＣＥ１００は、基地局２００，２００ａ，２００ｂから、各基地局が無線通信に使用する（または、使用可能な）周波数帯域を示す帯域通知を受信し、ＭＢＭＳデータの送信に使用可能な周波数帯域を判定する。また、ＭＣＥ１００は、移動局３００から基地局２００経由で、利用したいＭＢＭＳサービスを示すＭＢＳＦＮ要求を受信し、ＭＢＭＳデータのスケジューリングを行う。そして、ＭＢＭＳデータの送信に用いる無線リソースや変調符号化方式（ＭＣＳ：Modulation and Coding Scheme）を示すＭＢＳＦＮ制御情報を、基地局２００，２００ａ，２００ｂおよびＭＢＭＳゲートウェイ４２に送信する。
【００２９】
基地局２００，２００ａ，２００ｂは、移動局３００と無線通信を行う無線通信装置である。基地局２００，２００ａ，２００ｂは、有線ネットワークによりＭＣＥ１００、ＭＭＥ４１、ＭＢＭＳゲートウェイ４２およびＳＡＥゲートウェイ４３と接続されている。基地局２００，２００ａ，２００ｂは、移動局３００とＳＡＥゲートウェイ４３の間で、移動局３００の個別データを転送する。また、基地局２００，２００ａ，２００ｂは、ＭＣＥ１００の制御のもとで、ＭＢＳＦＮ送信を行う。基地局２００，２００ａ，２００ｂは、送信するＭＢＭＳデータをＭＢＭＳゲートウェイ４２から取得する。
【００３０】
なお、基地局２００，２００ａ，２００ｂが移動局３００との無線通信に使用する周波数帯域は、基地局によって異なる可能性がある。例えば、１．４ＭＨｚ，３ＭＨｚ，５ＭＨｚ，１０ＭＨｚ，１５ＭＨｚ，２０ＭＨｚの中から帯域幅が選択される。また、基地局２００，２００ａ，２００ｂが使用する周波数帯域は、運用中に動的に変更される可能性もある。例えば、通信量が多い時間帯は帯域幅を大きくし、通信量が小さい時間帯は帯域幅を小さくするよう、基地局２００，２００ａ，２００ｂを設定することができる。
【００３１】
移動局３００は、基地局２００，２００ａ，２００ｂと無線通信を行う無線端末装置であり、例えば、携帯電話機や携帯情報端末装置である。第２の実施の形態では、移動局３００は基地局２００に接続している場合を考える。移動局３００は、上りリンク（ＵＬ：Uplink）で個別データを基地局２００に送信し、下りリンク（ＤＬ：Downlink）で個別データを基地局２００から受信する。また、移動局３００は、ＤＬでＭＢＳＦＮ送信されたＭＢＭＳデータを受信する。移動局３００は、基地局２００，２００ａ，２００ｂを含む複数の基地局が同一周波数かつ同一タイミングで送信したＭＢＭＳデータ信号を合成して復調・復号し、ＭＢＭＳデータを抽出する。
【００３２】
ＭＭＥ４１は、移動局３００のモビリティ管理を行う通信制御装置である。ＭＭＥ４１は、基地局２００，２００ａ，２００ｂと通信を行い、移動局３００の在圏セルを管理する。ＭＢＭＳゲートウェイ４２は、ＭＢＳＦＮ送信されるＭＢＭＳデータを処理する通信装置である。ＭＢＭＳゲートウェイ４２は、ＭＣＥ１００から受信するＭＢＳＦＮ制御情報に基づいて、基地局２００，２００ａ，２００ｂにＭＢＭＳデータを送信する。ＳＡＥゲートウェイ４３は、移動局３００の個別データを処理する通信装置である。ＳＡＥゲートウェイ４３は、基地局２００に移動局３００宛ての個別データを送信する。また、移動局３００が送信した個別データを基地局２００から受信する。
【００３３】
なお、第２の実施の形態では、ＭＢＳＦＮの制御を、独立の装置であるＭＣＥ１００が行うこととした。ただし、ＭＣＥ１００の機能を、基地局２００，２００ａ，２００ｂの少なくとも１つに実装することも可能である。例えば、基地局２００にＭＣＥ１００に相当する制御装置を搭載し、基地局２００が基地局２００ａ，２００ｂと通信を行ってＭＢＳＦＮの制御を行ってもよい。また、ＭＣＥ１００の機能を、ＭＭＥ４１などの有線ネットワーク内の他の通信制御装置に実装することも可能である。
【００３４】
図３は、ＭＢＳＦＮエリアの設定例を示す図である。ＭＢＳＦＮエリア内では、ＭＣＥ１００の制御によりＭＢＭＳデータの送信の同期が取られる。図３の例では、ＭＢＳＦＮエリア内に１９個のセル（セル＃１〜＃１９）が含まれている。
【００３５】
ここで、移動局３００がセル＃１に在圏しており、同一のＭＢＳＦＮエリアに含まれるセル＃１〜＃１９で、移動局３００の受信するＭＢＭＳデータが送信されているとする。この場合、移動局３００は、最大で１９個のセルのＭＢＭＳデータ信号を合成して復調・復号し、ＭＢＭＳデータを抽出することができる。ただし、ＭＢＳＦＮエリア内の一部のセルで、移動局３００の受信するＭＢＭＳデータを送信しないようにすることも可能である。なお、１つのセルが複数のＭＢＳＦＮエリアに属する場合も有り得る。
【００３６】
図４は、無線フレームの構造例を示す図である。図４に示すような無線フレームが、基地局２００，２００ａ，２００ｂと移動局３００との間で伝送される。ただし、図４に示した構造は一例であり、無線フレームの構造はこれに限定されない。例えば、時間幅が１０ｍｓの無線フレームに、時間幅が１ｍｓの１０個のサブフレーム（サブフレーム＃０〜＃９）が含まれる。サブフレームには、時間幅が０．５ｍｓの２個のスロットが含まれ、１０ｍｓの無線フレームに２０個のスロット（スロット＃０〜＃１９）が含まれる。
【００３７】
無線フレーム内の無線リソースは、時間方向および周波数方向に細分化されて管理される。多重アクセス方式として、例えば、ＤＬにＯＦＤＭＡ（Orthogonal Frequency Division Multiple Access）が用いられ、ＵＬにＳＣ−ＦＤＭＡ（Single-Carrier Frequency Division Multiple Access）やＮｘＤＦＴ−ｓ−ＯＦＤＭ（N x Discrete Fourier Transform spread Orthogonal Frequency Division Multiple Access）が用いられる。時間方向について、スロットは７個または６個のシンボルを含む。シンボルには、ＣＰ（Cyclic Prefix）と呼ばれるガードインターバルが挿入される。周波数方向について、無線フレームは複数のリソースブロック（ＲＢ：Resource Block）を含み、ＲＢは複数のサブキャリアを含む。時間×周波数の領域の無線リソースが、各種チャネルに割り当てられる。
【００３８】
ＤＬ無線フレームでは、スロット＃０，＃１０で、同期信号を伝送するための同期チャネル（ＳＣＨ：Synchronization Channel）が送信される。スロット＃１では、報知情報を伝送するための物理報知チャネル（ＰＢＣＨ：Physical Broadcast Channel）が送信される。スロット＃８，＃１８では、移動局３００の呼び出しに用いられるトランスポートチャネルであるＰＣＨ（Paging Channel）が、下り物理共有チャネル（ＰＤＳＣＨ：Physical Downlink Shared Channel）にマッピングされて送信される。
【００３９】
なお、ＭＢＭＳデータを送信するサブフレーム（ＭＢＳＦＮサブフレーム）は、ＳＣＨ，ＰＢＣＨ，ＰＣＨの何れも送信されないサブフレーム＃１〜＃３，＃６〜＃８の中から選択される。
【００４０】
図５は、サブフレームの構造例を示す図である。図５の例では、サブフレーム＃０が通常サブフレームであり、サブフレーム＃１がＭＢＳＦＮサブフレームである。通常サブフレームは、通常ＣＰ（Normal CP）が挿入されたシンボルを７×２個含む。一方、ＭＢＳＦＮサブフレームは、拡張ＣＰ（Extended CP）が挿入されたシンボルを６×２個含む。各サブフレームでは、参照信号（ＲＳ：Reference Signal）と呼ばれるパイロット信号が送信される。ＲＳは、例えば、移動局３００における受信品質の測定に用いられる。通常サブフレーム内のＲＳとＭＢＳＦＮサブフレーム内のＲＳとは、異なる信号系列である。
【００４１】
なお、図５では説明を容易にするため、周波数方向について１つのＲＢを記載しているが、無線フレームは周波数方向に複数のＲＢを含む。例えば、１．４ＭＨｚの周波数帯域には６個、３ＭＨｚの周波数帯域には１５個、５ＭＨｚの周波数帯域には２５個、１０ＭＨｚの周波数帯域には５０個、１５ＭＨｚの周波数帯域には７５個、２０ＭＨｚの周波数帯域には１００個のＲＢが含まれている。
【００４２】
図６は、シンボルの構造例を示す図である。シンボルは、データ部分である有効シンボルとガードインターバルであるＣＰとを含む。ＣＰは、有効シンボルの末尾部分の信号を複製したものであり、有効シンボルの前に付加される。前述の通り、ＣＰには、通常ＣＰと拡張ＣＰという長さの異なる２種類のＣＰがある。例えば、通常ＣＰの時間幅は４．６９μ秒であり、拡張ＣＰの時間幅は１６．６７μ秒である。有効シンボルの時間幅は、通常ＣＰを用いる場合と拡張ＣＰを用いる場合とで同じである。
【００４３】
通常サブフレームには、原則として通常ＣＰが用いられる。一方、ＭＢＳＦＮサブフレームには、拡張ＣＰが用いられる。移動局３００は、遅延時間がＣＰ長以下である遅延波を、直接波や他の遅延波と合成して復調することができる。移動局３００は、拡張ＣＰが用いられたシンボルについては、通常ＣＰが用いられたシンボルよりも遅延時間の大きな無線信号（例えば、遠い基地局が送信した無線信号）を合成して復調することができる。よって、ＭＢＳＦＮサブフレームで送信されるＭＢＭＳデータの受信品質が向上する。
【００４４】
図７は、ＭＢＭＳデータ信号の合成方法を示す図である。図７の例では、移動局３００は、５つの基地局から送信されたＭＢＭＳデータ信号が重畳された信号を、直接波と４つの遅延波が重畳された信号として受信している。４つの遅延波のうち、３つの遅延波の遅延時間がＣＰ長以下であり、１つの遅延波の遅延時間がＣＰ長を超えている。この場合、移動局３００は、直接波と３つの遅延波を合成してＭＢＭＳデータ信号を復調する。
【００４５】
図８は、周波数帯域の設定例を示す図である。前述の通り、基地局２００，２００ａ，２００ｂが無線通信に使用する周波数帯域は、基地局によって異なる可能性がある。図８の例では、基地局２００が１０ＭＨｚ幅、基地局２００ａが５ＭＨｚ幅、基地局２００ｂが２０ＭＨｚ幅の周波数帯域を使用している。ここでは、基地局２００，２００ａ，２００ｂの中心周波数が同じである場合を想定している。中心周波数が固定である場合、帯域幅を指定することで、無線通信に使用する周波数帯域を特定することができる。
【００４６】
ただし、基地局によって中心周波数が異なることも考えられる。また、不連続な複数の周波数帯域の集合を無線通信に使用することも考えられる。その場合、例えば、中心周波数と帯域幅の組を指定することで、周波数帯域を特定することができる。また、最大幅である２０ＭＨｚの周波数帯域を４つの区間に分けて各５ＭＨｚの区間に帯域番号を対応付けておけば、帯域番号を指定することで、周波数帯域を特定することができる。
【００４７】
図９は、ＭＣＥを示すブロック図である。ＭＣＥ１００は、帯域判定部１１１、ＭＢＳＦＮ制御部１１２、スケジューラ１１３、帯域情報通知部１１４およびＭＢＳＦＮ制御情報通知部１１５を有する。なお、帯域判定部１１１およびＭＢＳＦＮ制御部１１２は、前述の制御部１１の一例である。帯域情報通知部１１４は、通知部１２の一例である。
【００４８】
帯域判定部１１１は、基地局２００，２００ａ，２００ｂから、各基地局が無線通信に使用する（または、使用可能な）周波数帯域を示す帯域通知を取得する。帯域通知には、例えば、帯域幅を示す情報、または、中心周波数と帯域幅の組を示す情報が含まれる。帯域判定部１１１は、帯域通知に基づいて、基地局２００，２００ａ，２００ｂに共通の周波数帯域を、ＭＢＳＦＮに使用可能な周波数帯域として判定する。そして、帯域判定部１１１は、判定した周波数帯域をＭＢＳＦＮ制御部１１２に通知する。
【００４９】
ＭＢＳＦＮ制御部１１２は、ＭＢＳＦＮエリアを形成する際、ＭＭＥ４１と通信を行ってＭＢＳＦＮセッションを確立する。また、ＭＢＳＦＮ制御部１１２は、提供可能なＭＢＭＳサービスの一覧を、ＭＢＳＦＮ制御情報通知部１１５に通知する。また、ＭＢＳＦＮ制御部１１２は、帯域判定部１１１から通知された使用可能な周波数帯域の範囲内で、送信すべきＭＢＭＳデータの量を参照して、ＭＢＳＦＮに使用する周波数帯域を選択する。ただし、使用可能な周波数帯域全体を常に選択するようにしてもよい。そして、ＭＢＳＦＮ制御部１１２は、選択した周波数帯域を帯域情報通知部１１４に通知する。
【００５０】
また、ＭＢＳＦＮ制御部１１２は、移動局３００が送信したＭＢＳＦＮ要求を基地局２００から取得し、要求されたＭＢＭＳサービスのＭＢＭＳデータのスケジューリングを、スケジューラ１１３に指示する。そして、割り当てられた無線リソースやＭＣＳなどのスケジューリング結果を、ＭＢＳＦＮ制御情報通知部１１５に通知する。
【００５１】
スケジューラ１１３は、ＭＢＳＦＮ制御部１１２からの指示に応じて、ＭＢＭＳデータのスケジューリングを行う。スケジューリングでは、ＭＢＳＦＮ制御部１１２が選択した周波数帯域内の無線リソースを、ＭＢＭＳデータに割り当てる。また、予め設定された所定のＭＣＳを、ＭＢＭＳデータの送信に用いるＭＣＳと選択する。ただし、スケジューラ１１３は、移動局３００で測定された受信品質を示す品質情報を基地局２００から取得して、受信品質に応じてＭＣＳを選択するようにしてもよい。
【００５２】
帯域情報通知部１１４は、ＭＢＳＦＮ制御部１１２で選択された周波数帯域を示す帯域情報を生成し、基地局２００，２００ａ，２００ｂを送信する。ＭＢＳＦＮ制御情報通知部１１５は、ＭＢＭＳサービスの一覧を示すＭＢＳＦＮ制御情報を生成し、基地局２００，２００ａ，２００ｂに送信する。また、ＭＢＭＳデータのスケジューリング結果を示すＭＢＳＦＮ制御情報を生成し、基地局２００，２００ａ，２００ｂおよびＭＢＭＳゲートウェイ４２に送信する。なお、帯域情報の送信周期は、ＭＢＳＦＮ制御情報の送信周期と同じでも異なってもよい（例えば、ＭＢＳＦＮ制御情報の送信周期より長くてもよい）。
【００５３】
図１０は、基地局を示すブロック図である。基地局１００は、アンテナ２１１、無線受信部２１２、復調復号部２１３、品質情報抽出部２１４、ＭＢＳＦＮ要求抽出部２１５、帯域設定部２２１、スケジューラ２２２、ＭＢＳＦＮ制御部２３０、制御信号生成部２４１、ＭＢＳＦＮ制御信号生成部２４２、帯域制御信号生成部２４３、ＲＳ生成部２４４、マッピング部２４５、符号化変調部２４６および無線送信部２４７を有する。基地局２００ａ，２００ｂも、基地局２００と同様のブロック構成によって実現できる。なお、マッピング部２４５、符号化変調部２４６および無線送信部２４７は、前述の送信部２１の一例である。また、ＭＢＳＦＮ制御部２３０は、制御部２２の一例である。
【００５４】
アンテナ２１１は、移動局３００が送信した無線信号を受信し、無線受信部２１２に出力する。また、アンテナ２１１は、無線送信部２４７から取得した送信信号を無線信号として出力する。なお、送受信兼用のアンテナではなく、送信用アンテナと受信用アンテナとを別個に基地局２００に設けてもよい。
【００５５】
無線受信部２１２は、アンテナ２１１から取得した受信信号を無線信号処理し、高周波数の無線信号から低周波数のベースバンド信号への変換（ダウンコンバート）を行う。無線受信部２１２は、無線信号処理のため、例えば、低雑音増幅器（ＬＮＡ：Low Noise Amplifier）、直交復調器、ＡＤＣ（Analog to Digital Converter）などの回路を備える。
【００５６】
復調復号部２１３は、無線受信部２１２から取得したベースバンド信号を、復調および誤り訂正復号する。復調および復号は、所定のＭＣＳまたはスケジューラ２２２から指示されるＭＣＳに対応する方法で行う。抽出された移動局３００の個別データは、ＳＡＥゲートウェイ４３に転送される。
【００５７】
品質情報抽出部２１４は、移動局３００が送信した品質情報を抽出する。品質情報は、移動局３００で測定された受信品質を示す情報であり、例えば、受信品質を離散値で表したＣＱＩ（Channel Quality Indicator）が用いられる。品質情報は、上りリンク物理制御チャネル（ＰＵＣＣＨ：Physical Uplink Control Channel）で伝送される。品質情報抽出部２１４は、抽出した品質情報を、スケジューラ２２２に出力する。
【００５８】
ＭＢＳＦＮ要求抽出部２１５は、移動局３００が送信したＭＢＳＦＮ要求を抽出する。ＭＢＳＦＮ要求は、移動局３００が利用を希望するＭＢＭＳサービスを示す情報を含む。ＭＢＳＦＮ要求は、上りリンク物理共有チャネル（ＰＵＳＣＨ：Physical Uplink Shared Channel）で伝送される。ＭＢＳＦＮ要求抽出部２１５は、抽出したＭＢＳＦＮ要求を、ＭＢＳＦＮ制御部２３０に出力する。
【００５９】
帯域設定部２２１は、基地局２００と移動局３００の間の無線通信に用いる周波数帯域を設定する。帯域設定部２２１は、オペレータの設定に従い、基地局２００の運用開始時に周波数帯域を設定する。また、予め設定された条件（例えば、時間帯の条件）を満たすと、使用する周波数帯域を変更する。帯域設定部２２１は、現在使用されている周波数帯域を、ＭＢＳＦＮ制御部２３０に通知する。
【００６０】
スケジューラ２２２は、移動局３００と送受信する個別データのスケジューリングを行う。スケジューリングでは、品質情報抽出部２１４から取得する品質情報や、ＭＢＳＦＮ制御部２３０から通知されるＭＢＭＳデータのスケジューリング結果が参照される。スケジューリングには、無線リソースの割り当てやＭＣＳの選択が含まれる。移動局３００宛ての個別データには、ＭＢＳＦＮサブフレーム以外の無線リソースが割り当てられる。スケジューラ２２２は、スケジューリング結果に基づいて、無線受信部２１２、復調復号部２１３、符号化変調部２４６および無線送信部２４７の信号処理を制御する。また、個別データのスケジューリング結果を、制御信号生成部２４１に通知する。
【００６１】
ＭＢＳＦＮ制御部２３０は、帯域設定部２２１で設定された周波数帯域を示す帯域通知を生成し、ＭＣＥ１００に送信する。また、ＭＢＳＦＮ制御部２３０は、ＭＢＳＦＮ要求抽出部２１５で抽出されたＭＢＳＦＮ要求を、ＭＣＥ１００に転送する。また、ＭＢＳＦＮ制御部２３０は、ＭＣＥ１００からＭＢＳＦＮ制御情報を受信し、ＭＢＳＦＮ制御信号生成部２４２に出力する。また、ＭＢＳＦＮ制御部２３０は、ＭＣＥ１００から帯域情報を受信し、帯域制御信号生成部２４３に出力する。ＭＢＳＦＮ制御部２３０は、受信した帯域情報とＭＢＳＦＮ制御情報とに基づいて、ＭＢＳＦＮサブフレームで使用する周波数帯域や無線リソースを制御し、スケジューリング結果をスケジューラ２２２に通知する。
【００６２】
制御信号生成部２４１は、スケジューラ２２２から通知された個別データのスケジューリング結果に基づいて、下りリンク物理制御チャネル（ＰＤＣＣＨ：Physical Downlink Control Channel）で送信する個別制御信号を生成する。個別制御信号には、個別データの送信に用いる無線リソースやＭＣＳを示す情報が含まれる。制御信号生成部２４１は、生成した個別制御信号をマッピング部２４５に出力する。
【００６３】
ＭＢＳＦＮ制御信号生成部２４２は、ＭＣＥ１００から受信されたＭＢＳＦＮ制御情報に基づいて、物理チャネルであるＰＭＣＨ（Physical Multicast Channel）で送信されるＭＢＳＦＮ制御信号を生成する。ＭＢＳＦＮ制御信号には、ＭＢＭＳサービスの一覧を示す情報や、ＭＢＭＳデータの送信に用いる無線リソースやＭＣＳを示す情報が含まれる。ＭＢＳＦＮ制御信号生成部２４２は、生成したＭＢＳＦＮ制御信号をマッピング部２４５に出力する。なお、ＰＭＣＨには、制御情報を伝送するための論理チャネルであるＭＣＣＨ（Multicast Control Channel）とＭＢＭＳデータを伝送するための論理チャネルであるＭＴＣＨ（Multicast Traffic Channel）とがマッピングされる。
【００６４】
帯域制御信号生成部２４３は、ＭＣＥ１００から受信された帯域情報に基づいて、ＰＭＣＨ（ＭＣＣＨ）で送信される帯域制御信号を生成する。そして、帯域制御信号生成部２４３は、生成した帯域制御信号をマッピング部２４５に出力する。
【００６５】
ＲＳ生成部２４４は、既知のパイロット信号であるＲＳを生成し、生成したＲＳをマッピング部２４５に出力する。
マッピング部２４５は、ＭＢＭＳゲートウェイ４２から受信するＭＢＭＳデータと、ＳＡＥゲートウェイ４３から受信する個別データを、ＤＬ無線フレームにマッピングする。また、制御信号生成部２４１、ＭＢＳＦＮ制御信号生成部２４２、帯域制御信号生成部２４３およびＲＳ生成部２４４から取得する信号を、ＤＬ無線フレームにマッピングする。マッピング部２４５は、ＤＬ無線フレームの送信信号を符号化変調部２４６に出力する。
【００６６】
符号化変調部２４６は、マッピング部２４５から取得した送信信号を誤り訂正符号化および変調し、無線送信部２４７に出力する。符号化および変調には、所定のＭＣＳまたはスケジューラ２２２から指示されたＭＣＳを用いる。
【００６７】
無線送信部２４７は、符号化変調部２４６から取得した送信信号を無線信号処理し、低周波数のベースバンド信号から高周波数の無線信号へ変換（アップコンバート）を行う。無線送信部２４７は、無線信号処理のため、例えば、ＤＡＣ（Digital to Analog Converter）、直交変調器、電力増幅器などの回路を備える。
【００６８】
図１１は、基地局のＭＢＳＦＮ制御部を示すブロック図である。ＭＢＳＦＮ制御部２３０は、ＭＢＳＦＮ要求処理部２３１、ＭＢＳＦＮ制御情報処理部２３２およびＭＢＳＦＮ帯域制御部２３３を有する。
【００６９】
ＭＢＳＦＮ要求処理部２３１は、ＭＢＳＦＮ要求抽出部２１５から、移動局３００が送信したＭＢＳＦＮ要求を取得し、ＭＢＳＦＮ制御情報処理部２３２に出力する。
ＭＢＳＦＮ制御情報処理部２３２は、ＭＣＥ１００が送信したＭＢＳＦＮ制御情報を取得する。そして、ＭＢＳＦＮ制御情報が示すスケジューリング結果とＭＢＳＦＮ帯域制御部２３３から通知されるＭＢＳＦＮの周波数帯域とに基づいて、ＭＢＳＦＮサブフレームの設定、ＭＢＳＦＮサブフレームで用いる周波数帯域の設定、ＰＭＣＨの設定などの制御を行う。また、ＭＢＭＳデータのスケジューリング結果をスケジューラ２２２に通知し、ＭＢＳＦＮ制御情報をＭＢＳＦＮ制御信号生成部２４２に出力する。
【００７０】
ＭＢＳＦＮ帯域制御部２３３は、所定のタイミングに、基地局２００の周波数帯域を示す帯域通知をＭＣＥ１００に送信する。所定のタイミングとしては、例えば、ＭＢＳＦＮセッションが開始されたときや、基地局２００の使用する周波数帯域が変更されたときが考えられる。また、ＭＢＳＦＮ帯域制御部２３３は、ＭＣＥ１００が送信した帯域情報を取得し、帯域情報が示すＭＢＳＦＮの周波数帯域をＭＢＳＦＮ制御情報処理部２３２に通知し、帯域情報を帯域制御信号生成部２４３に出力する。
【００７１】
図１２は、移動局を示すブロック図である。移動局３００は、アンテナ３１１、無線受信部３１２、復調復号部３１３、制御信号抽出部３１４、ＭＢＳＦＮ制御信号抽出部３１５、帯域制御信号抽出部３１６、ＲＳ抽出部３１７、端末制御部３２１、ＭＢＳＦＮ制御部３２２、品質測定部３２３、ＭＢＳＦＮ要求生成部３３１、品質情報生成部３３２、符号化変調部３３３および無線送信部３３４を有する。なお、ＭＢＳＦＮ制御部３２２は、前述の制御部３１の一例である。
【００７２】
アンテナ３１１は、基地局２００，２００ａ，２００ｂを含む複数の基地局が送信した無線信号を受信し、無線受信部３１２に出力する。また、アンテナ３１１は、無線送信部３３４から取得した送信信号を無線で出力する。なお、送受信兼用のアンテナではなく、送信用アンテナと受信用アンテナを別個に移動局３００に設けてもよい。
【００７３】
無線受信部３１２は、アンテナ３１１から取得した受信信号を無線信号処理し、無線信号からベースバンド信号へのダウンコンバートを行う。無線受信部３１２は、無線信号処理のため、例えば、ＬＮＡ、直交復調器、ＡＤＣなどの回路を備える。
【００７４】
復調復号部３１３は、無線受信部３１２から取得したベースバンド信号を、復調および誤り訂正復号する。復調および復号は、所定のＭＣＳまたは端末制御部３２１から指示されるＭＣＳに対応する方法で行う。抽出された個別データやＭＢＭＳデータは、プロセッサなどの上位レイヤのデータ処理部（図示せず）に渡される。ここで、ＭＢＳＦＮにより送信されたＭＢＭＳデータを受信する場合、受信信号には、複数の基地局から送信されたＭＢＭＳデータ信号が重畳されている。このような受信信号は、移動局３００には、先行波と遅延波が重畳されているように見える。復調復号部３１３は、遅延時間がＣＰ長以下である遅延波の信号も抽出して直接波の信号に合成し、復調および復号を行う。
【００７５】
制御信号抽出部３１４は、ＰＤＣＣＨで送信された個別制御信号を抽出する。前述のように、個別制御信号には、個別データの送信に用いられる無線リソースやＭＣＳを示す情報が含まれる。制御信号抽出部３１４は、個別制御信号を端末制御部３２１に出力する。
【００７６】
ＭＢＳＦＮ制御信号抽出部３１５は、ＭＣＣＨがマッピングされたＰＭＣＨで送信されたＭＢＳＦＮ制御信号を抽出する。前述のように、ＭＢＳＦＮ制御信号には、ＭＢＭＳサービスの一覧を示す情報や、ＭＢＭＳデータの送信に用いる無線リソースやＭＣＳを示す情報が含まれる。ＭＢＳＦＮ制御信号抽出部３１５は、抽出したＭＢＳＦＮ制御信号をＭＢＳＦＮ制御部３２２に出力する。
【００７７】
帯域制御信号抽出部３１６は、ＭＣＣＨがマッピングされたＰＭＣＨで送信された帯域制御信号を抽出し、抽出した帯域制御信号をＭＢＳＦＮ制御部３２２に出力する。
ＲＳ抽出部３１７は、ＤＬ無線フレームに含まれるＲＳを抽出し、抽出したＲＳを品質測定部３２３に出力する。
【００７８】
端末制御部３２１は、制御信号抽出部３１４で抽出された個別制御信号に基づいて、個別データの送信処理および受信処理を制御する。また、端末制御部３２１は、ＭＢＳＦＮ制御部３２２からの通知に基づいて、ＭＢＭＳデータの受信処理を制御する。端末制御部３２１は、無線受信部３１２、復調復号部３１３、符号化変調部３３３および無線送信部３３４の信号処理を制御する。
【００７９】
ＭＢＳＦＮ制御部３２２は、ユーザの操作などを契機としてＭＢＭＳデータの受信を開始しようとするとき、ＭＢＳＦＮ要求生成部３３１にＭＢＳＦＮ要求の送信を指示する。また、ＭＢＳＦＮ制御部３２２は、ＭＢＳＦＮ制御信号抽出部３１５で抽出されたＭＢＳＦＮ制御信号と、帯域制御信号抽出部３１６で抽出された帯域制御信号とを取得する。そして、ＭＢＭＳデータ信号を受信する周波数帯域やタイミング、ＭＢＭＳデータに適用されているＭＣＳなどを判断し、端末制御部３２１に通知する。
【００８０】
品質測定部３２３は、ＲＳ抽出部３１７で抽出されたＲＳを用いて、ＣＩＲ（Carrier to Interference Ratio）などの受信品質（または無線回線品質）を測定する。品質測定部３２３は、測定結果を品質情報生成部３３２に出力すると共に、ＲＳ抽出の精度を高めるためにＲＳ抽出部３１７にフィードバックする。
【００８１】
ＭＢＳＦＮ要求生成部３３１は、ＭＢＳＦＮ制御部３２２からの指示に応じて、利用を希望するＭＢＭＳサービス（受信を希望するＭＢＭＳデータの種類）を示すＭＢＳＦＮ要求を生成する。ＭＢＳＦＮ要求で要求するＭＢＭＳサービスは、基地局２００が送信するＭＢＭＳサービス一覧の中から選択される。ＭＢＳＦＮ要求生成部３３１は、生成したＭＢＳＦＮ要求を符号化変調部３３３に出力する。
【００８２】
品質情報生成部３３２は、品質測定部３２３で測定された受信品質（または無線回線品質）を示す品質情報を生成する。品質情報としては、例えば、ＣＱＩを用いることができる。品質情報生成部３３２は、生成した品質情報を符号化変調部３３３に出力する。
【００８３】
符号化変調部３３３は、ＰＵＳＣＨで送信する個別データ、ＭＢＳＦＮ要求生成部３３１から取得するＭＢＳＦＮ要求および品質情報生成部３３２から取得する品質情報を、誤り訂正符号化および変調し、無線送信部３３４に出力する。符号化および変調には、所定のＭＣＳまたは端末制御部３２１から指示されたＭＣＳを用いる。
【００８４】
無線送信部３３４は、符号化変調部３３３から取得した送信信号を無線信号処理し、ベースバンド信号から無線信号へのアップコンバートを行う。無線送信部３３４は、無線信号処理のため、例えば、ＤＡＣ、直交変調器、電力増幅器などの回路を備える。
【００８５】
図１３は、ＭＣＥの帯域制御を示すフローチャートである。以下、図１３に示す処理をステップ番号に沿って説明する。
（ステップＳ１１）帯域判定部１１１は、帯域通知を受信したか判断する。例えば、ＭＢＳＦＮセッションの開始時には、ＭＢＳＦＮエリアに属する全ての基地局から帯域通知を受信したか判断する。一方、ＭＢＳＦＮの運用開始後は、ＭＢＳＦＮエリアに属する何れか１つの基地局から帯域通知を受信したか判断する。帯域通知を受信した場合、処理をステップＳ１３に進める。受信していない場合、処理をステップＳ１２に進める。
【００８６】
（ステップＳ１２）帯域判定部１１１は、ＭＢＳＦＮエリアに属する基地局の集合が変化したか（例えば、ＭＢＳＦＮ送信を行う基地局の増加や減少が生じたか）判断する。基地局の集合が変化した場合、処理をステップＳ１３に進める。変化していない場合、処理をステップＳ１４に進める。なお、ＭＢＳＦＮ送信を行う基地局の追加や削除は、ＭＢＭＳサービスの利用状況に応じて、ＭＣＥ１００が判断する。
【００８７】
（ステップＳ１３）帯域判定部１１１は、ＭＢＳＦＮエリアに属する基地局から収集した帯域通知に基づいて、それら基地局が無線通信に使用する周波数帯域の共通部分を、ＭＢＳＦＮで使用可能な周波数帯域として判定する。なお、ＭＢＳＦＮエリアに属する何れかの基地局が周波数帯域を変更した場合や、ＭＢＳＦＮエリアに属する基地局の集合が変化したとき、使用可能な周波数帯域も変化し得る。
【００８８】
（ステップＳ１４）ＭＢＳＦＮ制御部１１２は、ステップＳ１３で判定された周波数帯域（または、以前に判定された使用可能な周波数帯域）の範囲から、ＭＢＳＦＮに使用する周波数帯域を選択する。例えば、ＭＢＳＦＮ制御部１１２は、送信すべきＭＢＭＳデータを収容するための最小幅の周波数帯域を選択する。ただし、使用可能な周波数帯域の全部を、使用する周波数帯域として常に選択してもよい。
【００８９】
（ステップＳ１５）帯域情報通知部１１４は、ステップＳ１４で選択された周波数帯域を示す帯域情報を生成し、ＭＢＳＦＮエリアに属する基地局に送信する。なお、帯域情報の送信周期は、スケジューリングに関するＭＢＳＦＮ制御情報より長くてもよい。
【００９０】
図１４は、基地局の帯域制御を示すフローチャートである。ここでは、基地局２００が実行する場合を考える。以下、図１４に示す処理をステップ番号に沿って説明する。
（ステップＳ２１）ＭＢＳＦＮ制御部２３０は、ＭＢＳＦＮセッションを開始する（ＭＢＳＦＮの運用を開始する）タイミングであるか判断する。ＭＢＳＦＮセッションを開始するタイミングである場合、処理をステップＳ２３に進める。開始するタイミングではない場合、処理をステップＳ２２に進める。
【００９１】
（ステップＳ２２）ＭＢＳＦＮ制御部２３０は、基地局２００が移動局３００との無線通信に使用する周波数帯域が変更されたか判断する。変更された場合、処理をステップＳ２３に進める。変更されていない場合、処理をステップＳ２４に進める。
【００９２】
（ステップＳ２３）ＭＢＳＦＮ制御部２３０は、基地局２００が使用する周波数帯域を示す帯域通知を生成し、ＭＣＥ１００に送信する。
（ステップＳ２４）ＭＢＳＦＮ制御部２３０は、ＭＢＳＦＮに用いる周波数帯域を示す帯域情報を、ＭＣＥ１００から受信する。
【００９３】
（ステップＳ２５）帯域制御信号生成部２４３は、ステップＳ２４で受信した帯域情報に基づいて、ＭＢＳＦＮに用いる周波数帯域を示す帯域制御信号を生成する。マッピング部２４５、符号化変調部２４６および無線送信部２４７は、ＭＢＳＦＮサブフレームにおいて、帯域制御信号をＰＭＣＨ（ＭＣＣＨ）の信号として移動局３００に送信する。
【００９４】
（ステップＳ２６）ＭＢＳＦＮ制御部２３０は、ステップＳ２４で受信した帯域情報を用いて、ＭＢＭＳデータの送信を制御する。例えば、ＭＢＳＦＮサブフレームでは、帯域情報が示す周波数帯域の範囲内でＭＢＭＳデータ信号を出力するよう制御する。
【００９５】
図１５は、移動局の帯域制御を示すフローチャートである。以下、図１５に示す処理をステップ番号に沿って説明する。
（ステップＳ３１）ＭＢＳＦＮ制御部３２２は、基地局２００に対して既にＭＢＳＦＮ要求を送信しているか判断する。送信している場合、処理をステップＳ３２に進める。送信していない場合、処理を終了する。
【００９６】
（ステップＳ３２）帯域制御信号抽出部３１６は、ＭＢＳＦＮサブフレームにおいて、基地局２００が送信した帯域制御信号を抽出する。なお、ＭＢＳＦＮサブフレームの位置は、例えば、基地局２００が送信する報知情報によって通知されている。
【００９７】
（ステップＳ３３）ＭＢＳＦＮ制御部３２２は、ステップＳ３２で抽出された帯域制御信号から、ＭＢＳＦＮに使用される周波数帯域を特定する。端末制御部３２１は、ＭＢＳＦＮに使用される周波数帯域を設定する。
【００９８】
（ステップＳ３４）端末制御部３２１は、ステップＳ３３で設定された周波数帯域に基づいて、ＭＢＭＳデータの受信処理を制御する。例えば、ＭＢＳＦＮサブフレームでは、設定された周波数帯域の範囲の無線信号を抽出するよう制御する。
【００９９】
図１６は、第２の実施の形態の通信の流れを示すシーケンス図である。以下、図１６に示すシーケンスをステップ番号に沿って説明する。
（ステップＳ４１）ＭＭＥ４１は、ＭＢＳＦＮの運用を開始するとき、ＭＢＳＦＮセッション開始要求をＭＣＥ１００に送信する。
【０１００】
（ステップＳ４２）ＭＣＥ１００は、ＭＢＳＦＮの制御を開始できる状態であることを確認し、ＭＢＳＦＮセッション開始応答をＭＭＥ４１に送信する。
（ステップＳ４３）ＭＣＥ１００は、ＭＢＳＦＮエリアに属する基地局を選択し、選択した基地局（基地局２００，２００ａ，・・・）にＭＢＳＦＮセッション開始要求を送信する。なお、図１６では、基地局２００，２００ａ以外の基地局の記載を省略している。
【０１０１】
（ステップＳ４４）基地局２００，２００ａ，・・・は、ＭＢＳＦＮ送信を開始できる状態であることを確認し、ＭＢＳＦＮセッション開始応答をＭＣＥ１００に送信する。
（ステップＳ４５）基地局２００，２００ａ，・・・は、自局が無線通信に使用する周波数帯域を示す帯域通知を、ＭＣＥ１００に送信する。
【０１０２】
（ステップＳ４６）ＭＣＥ１００は、ステップＳ４５で受信した帯域通知に基づいて、基地局２００，２００ａ，・・・に共通の周波数帯域を判定する。
（ステップＳ４７）ＭＣＥ１００は、ＭＢＳＦＮ送信を開始することを示すＭＢＳＦＮセッション開始通知を、基地局２００，２００ａ，・・・に送信する。
【０１０３】
（ステップＳ４８）ＭＣＥ１００は、移動局３００から利用可能なＭＢＭＳサービスの一覧を示すＭＢＳＦＮ制御情報を、基地局２００，２００ａ，・・・に送信する。基地局２００は、ＭＢＭＳサービスの一覧を示すＭＢＳＦＮ制御信号を、ＰＭＣＨ（ＭＣＣＨ）で移動局３００に送信する。また、ＭＣＥ１００は、ＭＢＳＦＮ制御情報をＭＢＭＳゲートウェイ４２に送信する。
【０１０４】
図１７は、第２の実施の形態の通信の流れを示すシーケンス図（続き）である。
（ステップＳ５１）移動局３００は、ステップＳ４８で受信したＭＢＳＦＮ制御信号が示す一覧から、利用するＭＢＭＳサービスを選択し、ＭＢＳＦＮ要求をＰＵＳＣＨで基地局２００に送信する。基地局２００は、ＭＢＳＦＮ要求をＭＣＥ１００に転送する。
【０１０５】
（ステップＳ５２）ＭＣＥ１００は、ステップＳ４６で判定した周波数帯域の範囲からＭＢＳＦＮに使用する周波数帯域を選択する。
（ステップＳ５３）ＭＣＥ１００は、ステップＳ５２で選択した周波数帯域を示す帯域情報と、ＭＢＭＳデータのスケジューリングに関するＭＢＳＦＮ制御情報を、基地局２００，２００ａ，・・・に送信する。基地局２００は、帯域制御信号とＭＢＳＦＮ制御信号を、ＰＭＣＨ（ＭＣＣＨ）で移動局３００に送信する。移動局３００は、受信した帯域制御信号とＭＢＳＦＮ制御信号に基づいて、ＭＢＭＳデータを受信するための設定を行う。また、ＭＣＥ１００は、ＭＢＳＦＮ制御情報をＭＢＭＳゲートウェイ４２に送信する。なお、ＭＢＳＦＮ制御情報と帯域情報は、異なるタイミングで送信してもよい。
【０１０６】
（ステップＳ５４）ＭＢＭＳゲートウェイ４２は、ＭＢＭＳデータを基地局２００，２００ａ，・・・に送信する。基地局２００，２００ａ，・・・は、ＭＢＭＳデータ信号をＰＭＣＨ（ＭＴＣＨ）で移動局３００に送信する。移動局３００は、基地局２００，２００ａ，・・・が送信したＭＢＭＳデータ信号を合成して復調・復号を行う。
【０１０７】
なお、ＭＢＳＦＮエリアに属する何れかの基地局の周波数帯域が変更された場合、上記ステップＳ４５，Ｓ４６と同様の処理が実行され、ＭＢＳＦＮに使用可能な周波数帯域が再計算される。また、ＭＣＥ１００がＭＢＳＦＮ送信を行う基地局を追加または削除した場合、ステップＳ４６と同様の処理が実行され、使用可能な周波数帯域が再計算される。使用可能な周波数帯域が再計算されると、変更後の周波数帯域に基づいて、ステップＳ５２，Ｓ５３の処理が実行される。
【０１０８】
図１８は、ＭＢＳＦＮ帯域の第１の設定例を示す図である。ここでは、ＭＢＳＦＮエリアに属する基地局の周波数帯域の中心周波数が統一されている場合を考える。例えば、基地局２００は１０ＭＨｚ幅の周波数帯域を使用し、基地局２００ａは５ＭＨｚ幅の周波数帯域を使用し、基地局２００ｂは２０ＭＨｚ幅の周波数帯域を使用する。
【０１０９】
この場合、基地局２００は、帯域幅が１０ＭＨｚであることを示す帯域通知をＭＣＥ１００に送信する。基地局２００ａは、帯域幅が５ＭＨｚであることを示す帯域通知をＭＣＥ１００に送信する。基地局２００ｂは、帯域幅が２０ＭＨｚであることを示す帯域通知をＭＣＥ１００に送信する。ＭＣＥ１００は、例えば、５ＭＨｚ，１０ＭＨｚ，２０ＭＨｚのうち最小の帯域幅である５ＭＨｚを、ＭＢＳＦＮに使用する周波数帯域の帯域幅と決定する。そして、決定した帯域幅５ＭＨｚを示す帯域情報を、基地局２００，２００ａ，２００ｂに送信する。基地局２００，２００ａ，２００ｂは、中心周波数を挟む５ＭＨｚの周波数帯域を、ＭＢＳＦＮに使用する周波数帯域として設定する。
【０１１０】
図１９は、ＭＢＳＦＮ帯域の第２の設定例を示す図である。ここでは、ＭＢＳＦＮエリアに属する基地局の周波数帯域の中心周波数が統一されていない場合を考える。例えば、基地局２００は連続する１０ＭＨｚ幅の周波数帯域を使用し、基地局２００ａは不連続な２つの５ＭＨｚ幅（合計で１０ＭＨｚ幅）の周波数帯域を使用し、基地局２００ｂは連続する２０ＭＨｚ幅の周波数帯域を使用する。
【０１１１】
この場合、基地局２００は、帯域幅（１０ＭＨｚ）と中心周波数を示す帯域通知をＭＣＥ１００に送信する。基地局２００ａは、帯域幅（５ＭＨｚ×２）と２つの周波数帯域それぞれの中心周波数を示す帯域通知をＭＣＥ１００に送信する。基地局２００ｂは、帯域幅（２０ＭＨｚ）と中心周波数を示す帯域通知をＭＣＥ１００に送信する。ＭＣＥ１００は、例えば、基地局２００，２００ａ，２００ｂが共通に使用する５ＭＨｚ幅の周波数帯域を、ＭＢＳＦＮに使用する周波数帯域として選択する。そして、選択した周波数帯域の帯域幅（５ＭＨｚ）と中心周波数を示す帯域情報を、基地局２００，２００ａ，２００ｂに送信する。基地局２００，２００ａ，２００ｂは、帯域情報が示す周波数帯域を、ＭＢＳＦＮに使用する周波数帯域として設定する。
【０１１２】
なお、以上の説明では、ＭＣＥ１００は、ＭＢＳＦＮ制御情報と帯域情報を別個に基地局２００，２００ａ，２００ｂに送信することとした。ただし、帯域情報をＭＢＳＦＮ制御情報の一部として送信することも可能である。また、ＭＣＥ１００は、リアルタイム伝送の制約のあるＭＢＭＳデータがＭＢＳＦＮ送信される場合、当該ＭＢＭＳデータの所要伝送速度を考慮して、ＭＢＳＦＮに使用する周波数帯域を選択してもよい。
【０１１３】
図２０は、ＭＣＥの第１の変形例を示すブロック図である。図２０に示すＭＣＥ１００ａを、ＭＣＥ１００に代えて用いることが可能である。ＭＣＥ１００ａは、ＭＣＥ１００の帯域情報通知部１１４およびＭＢＳＦＮ制御情報通知部１１５に代えて、ＭＢＳＦＮ制御情報通知部１１５ａを有する。
【０１１４】
ＭＢＳＦＮ制御情報通知部１１５ａは、ＭＢＳＦＮ制御部１１２からの指示に応じて、ＭＢＳＦＮ制御情報を生成し、基地局２００，２００ａ，２００ｂまたはＭＢＭＳゲートウェイ４２に送信する。このＭＢＳＦＮ制御情報には、ＭＢＳＦＮに使用する周波数帯域を示す帯域情報が含まれていることがある。なお、帯域判定部１１１、ＭＢＳＦＮ制御部１１２およびＭＢＳＦＮ制御情報通知部１１５ａに代えて、これらユニットの機能を含む制御部をＭＣＥ１００ａに設けることも可能である。
【０１１５】
図２１は、ＭＣＥの第２の変形例を示すブロック図である。図２１に示すＭＣＥ１００ｂを、ＭＣＥ１００に代えて用いることが可能である。ＭＣＥ１００ｂは、ＭＣＥ１００の帯域判定部１１１に代えて、帯域判定部１１１ｂを有する。帯域判定部１１１ｂは、ＭＭＥ４１から、リアルタイム伝送が求められるＭＢＭＳデータの所要伝送速度を示す情報を受信する。例えば、上記ステップＳ４１とステップＳ４２の間に、所要伝送速度を示す情報を受信する。そして、帯域判定部１１１ｂは、所要伝送速度を満たすための最小の帯域幅を算出し、ＭＢＳＦＮ制御部１１２に通知する。ＭＢＳＦＮ制御部１１２は、少なくとも通知された帯域幅分の周波数帯域を、ＭＢＳＦＮのために確保する。
【０１１６】
また、以上の説明では、ＬＴＥを想定して、基地局２００，２００ａ，２００ｂは最大で２０ＭＨｚの周波数帯域を用いてＤＬ無線通信を行えるものとした。ただし、ＬＴＥ−Ａを想定して、最大で２０ＭＨｚの周波数帯域を５つ用いてＤＬ無線通信を行えるようにしてもよい。ＬＴＥ−Ａにおいて、２０ＭＨｚ以下の各周波数帯域は、コンポーネントキャリア（ＣＣ：Component Carrier）と呼ばれる。
【０１１７】
図２２は、コンポーネントキャリアの設定例を示す図である。基地局２００，２００ａ，２００ｂは、ＤＬ無線通信に最大で５つのＣＣ（ＣＣ＃１〜＃５）を使用してもよい。各ＣＣの帯域幅は、例えば、１．４ＭＨｚ，３ＭＨｚ，５ＭＨｚ，１０ＭＨｚ，１５ＭＨｚ，２０ＭＨｚの中から選択される。ＣＣ＃１〜＃５の帯域幅は、ＣＣによって異なってもよい。ＣＣ＃１〜＃５それぞれで、図４に示したような無線フレームが伝送される。基地局２００，２００ａ，２００ｂは、ＣＣ毎に無線リソースの割り当て制御を行う。
【０１１８】
基地局２００，２００ａ，２００ｂは、複数のＣＣを集約して移動局３００との無線通信に使用する（複数のＣＣを同時に使用する）ことで、１つのＣＣの周波数帯域より広い周波数帯域を用いた無線通信が可能となる。ＣＣ＃１〜＃５は、８００ＭＨｚ帯，２．０ＧＨｚ帯，３．５ＧＨｚ帯などの周波数バンドの何れか１つに全て設けてもよいし、異なる複数の周波数バンドに分散して設けてもよい。複数のＣＣを集約することを、キャリアアグリゲーション（Carrier Aggregation）と呼ぶことがある。キャリアアグリゲーションのうち、異なる周波数バンドに属するＣＣを集約することを、スペクトラムアグリゲーション（Spectrum Aggregation）と呼ぶことがある。
【０１１９】
ここで、上記のＭＢＳＦＮ用の周波数帯域の決定方法は、ＣＣ単位で行ってもよいし複数のＣＣについて纏めて行ってもよい。例えば、基地局２００，２００ａ，２００ｂは、ＣＣ＃１〜＃５それぞれの帯域幅を示す帯域通知をＭＣＥ１００に送信する。ＭＣＥ１００は、ＭＢＳＦＮに使用するＣＣ（例えば、最も周波数の低いＣＣ）を選択し、基地局２００，２００ａ，２００ｂの選択したＣＣの帯域幅に基づいて、周波数帯域を選択する。または、ＭＣＥ１００は、基地局２００，２００ａ，２００ｂのＣＣ＃１〜＃５の帯域幅に基づいて、ＭＢＳＦＮに使用する１以上のＣＣおよび周波数帯域を選択する。
【０１２０】
このような第２の実施の形態の移動通信システムによれば、ＭＣＥ１００は、ＭＢＳＦＮエリア内の基地局が無線通信に使用する周波数帯域の設定状況を把握し、ＭＢＳＦＮに使用する周波数帯域を適切に選択できる。よって、ＭＢＳＦＮエリア内の基地局の中に、無線リソースが不足してＭＢＭＳデータの一部を送信できない基地局が存在する可能性を低減でき、移動局３００におけるＭＢＭＳデータの受信品質の低下を抑制できる。
【０１２１】
また、ＭＢＳＦＮエリア内の基地局に設定され得る周波数帯域の最小幅（例えば、１．４ＭＨｚ）を想定してＭＢＳＦＮに使用する周波数帯域を選択する場合と比べて、ＭＢＳＦＮに使用する周波数帯域の帯域幅が過度に狭くなることを抑制でき、各基地局の無線リソースを効率的に利用することができる。また、ＭＣＥ１００は、何れかの基地局で周波数帯域の設定が変更されたときや、ＭＢＳＦＮエリアに属する基地局が変更になったときに、ＭＢＳＦＮに使用する周波数帯域を動的に更新できる。
【０１２２】
［第３の実施の形態］
次に、第３の実施の形態を説明する。第２の実施の形態との差異を中心に説明し、同様の事項については説明を省略する。第３の実施の形態の移動通信システムは、基地局からＭＣＥに帯域通知を送信する経路が、第２の実施の形態と異なる。
【０１２３】
第３の実施の形態の移動通信システムは、図２に示した第２の実施の形態の移動通信システムと同様のシステム構成によって実現できる。ただし、第３の実施の形態では、ＭＭＥ４１に代えて、以下に説明するＭＭＥ４００を使用する。第３の実施の形態のＭＣＥ、基地局および移動局は、図９〜１２に示した第２の実施の形態のＭＣＥ、基地局および移動局と同様のブロック構成によって実現できる。以下の説明では、ＭＣＥ、基地局および移動局については、第２の実施の形態と同じ符号を使用する。
【０１２４】
図２３は、ＭＭＥを示すブロック図である。ＭＭＥ４００は、ＭＢＳＦＮセッション制御部４１１および回線制御部４１２を有する。ＭＢＳＦＮセッション制御部４１１は、ＭＢＳＦＮセッションを開始する制御を行う。ＭＢＳＦＮセッション制御部４１１は、ＭＣＥ１００にＭＢＳＦＮセッション開始要求を送信し、ＭＣＥ１００からＭＢＳＦＮセッション開始応答を受信する。回線制御部４１２は、基地局２００，２００ａ，２００ｂから帯域通知を受信し、ＭＣＥ１００に帯域通知を転送する。
【０１２５】
図２４は、第３の実施の形態の通信の流れを示すシーケンス図である。図２４に示すステップＳ６１〜Ｓ６９のうち、ステップＳ６１〜Ｓ６４，Ｓ６８，Ｓ６９の処理は、図１６のステップＳ４１〜Ｓ４４，Ｓ４７，Ｓ４８と同様である。
【０１２６】
（ステップＳ６５）基地局２００，２００ａ，・・・は、自局が無線通信に使用する周波数帯域を示す帯域通知を、ＭＣＥ１００を介さずにＭＭＥ４００に送信する。
（ステップＳ６６）ＭＭＥ４００は、基地局２００，２００ａ，・・・から受信した帯域通知をＭＣＥ１００に転送する。なお、ＭＢＳＦＮセッションの開始時は、ＭＭＥ４００は、基地局２００，２００ａ，・・・から受信した帯域通知それぞれをＭＣＥ１００に転送してもよいし、複数の基地局分の帯域通知を纏めてＭＣＥ１００に転送してもよい。
【０１２７】
（ステップＳ６７）ＭＣＥ１００は、ステップＳ６６でＭＭＥ４００から受信した帯域通知に基づいて、基地局２００，２００ａ，・・・に共通の周波数帯域を判定する。
なお、ＭＢＳＦＮエリアに属する何れかの基地局の周波数帯域が変更された場合、帯域通知がＭＭＥ４００経由でＭＣＥ１００に転送され、ＭＢＳＦＮに使用可能な周波数帯域がＭＣＥ１００で再計算される。
【０１２８】
このような第３の実施の形態の移動通信システムによれば、第２の実施の形態と同様の効果が得られる。更に、第３の実施の形態では、ＭＣＥ１００は回線制御機能をもつＭＭＥ４００と効率的に連携して、ＭＢＳＦＮの制御を行うことができる。
【０１２９】
上記については単に本発明の原理を示すものである。更に、多数の変形や変更が当業者にとって可能であり、本発明は上記に示し、説明した正確な構成および応用例に限定されるものではなく、対応する全ての変形例および均等物は、添付の請求項およびその均等物による本発明の範囲とみなされる。
【符号の説明】
【０１３０】
１０  通信制御装置
１１，２２，３１  制御部
１２  通知部
２０，２０ａ  基地局
２１  送信部
３０  無線受信装置
【図１】
2012063317.tif 000003
【図２】
2012063317.tif 000004
【図３】
2012063317.tif 000005
【図４】
2012063317.tif 000006
【図５】
2012063317.tif 000007
【図６】
2012063317.tif 000008
【図７】
2012063317.tif 000009
【図８】
2012063317.tif 000010
【図９】
2012063317.tif 000011
【図１０】
2012063317.tif 000012
【図１１】
2012063317.tif 000013
【図１２】
2012063317.tif 000014
【図１３】
2012063317.tif 000015
【図１４】
2012063317.tif 000016
【図１５】
2012063317.tif 000017
【図１６】
2012063317.tif 000018
【図１７】
2012063317.tif 000019
【図１８】
2012063317.tif 000020
【図１９】
2012063317.tif 000021
【図２０】
2012063317.tif 000022
【図２１】
2012063317.tif 000023
【図２２】
2012063317.tif 000024
【図２３】
2012063317.tif 000025
【図２４】
2012063317.tif 000026
【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
通信制御装置と複数の基地局と無線受信装置とを含み、前記複数の基地局のうちの２以上の基地局が共通する内容のデータを共通の周波数を用いて前記無線受信装置に送信する無線通信システムであって、
前記２以上の基地局それぞれは、自局が無線通信に用いる第１の周波数帯域についての情報を前記通信制御装置に通知し、前記通信制御装置から通知された第２の周波数帯域についての情報に基づいて、前記共通する内容のデータの送信を制御する第１の制御部を有し、
前記通信制御装置は、前記２以上の基地局から通知された前記第１の周波数帯域についての情報に基づいて、前記共通する内容のデータの送信に用いる前記第２の周波数帯域を選択する第２の制御部と、選択された前記第２の周波数帯域についての情報を前記２以上の基地局に通知する通知部と、を有する、
ことを特徴とする無線通信システム。
【請求項２】
前記第２の周波数帯域は、前記２以上の基地局の前記第１の周波数帯域に共通に含まれる周波数帯域から選択されることを特徴とする請求項１記載の無線通信システム。
【請求項３】
前記第２の周波数帯域についての情報には、前記第２の周波数帯域の帯域幅、または、前記第２の周波数帯域の中心周波数および帯域幅を示す情報が含まれることを特徴とする請求項１記載の無線通信システム。
【請求項４】
前記第２の制御部は、前記第１の周波数帯域についての情報に基づいて、前記共通する内容のデータの送信に使用可能な周波数帯域を算出し、前記使用可能な周波数帯域と前記共通する内容のデータの送信状況とに基づいて、前記第２の周波数帯域を選択することを特徴とする請求項１記載の無線通信システム。
【請求項５】
前記第１の制御部は、自局の前記第１の周波数帯域が変更されると、変更後の前記第１の周波数帯域についての情報を前記通信制御装置に通知し、
前記第２の制御部は、変更後の前記第１の周波数帯域についての情報に基づいて、前記使用可能な周波数帯域を再計算する、
ことを特徴とする請求項４記載の無線通信システム。
【請求項６】
前記第２の制御部は、前記複数の基地局のうち前記共通する内容のデータを送信する基地局が変更されると、前記使用可能な周波数帯域を再計算することを特徴とする請求項４記載の無線通信システム。
【請求項７】
前記第１の制御部は、前記通信制御装置から通知された前記第２の周波数帯域についての情報を、前記無線受信装置に通知し、
前記無線受信装置は、前記第２の周波数帯域についての情報に基づいて、前記２以上の基地局からの前記共通する内容のデータの受信を制御する第３の制御部を有する、
ことを特徴とする請求項１記載の無線通信システム。
【請求項８】
共通する内容のデータを共通の周波数を用いて送信する２以上の基地局それぞれから、当該基地局が無線通信に用いる第１の周波数帯域についての情報を取得し、前記第１の周波数帯域についての情報に基づいて、前記共通する内容のデータの送信に用いる第２の周波数帯域を選択する制御部と、
前記制御部で選択された前記第２の周波数帯域についての情報を前記２以上の基地局に通知する通知部と、
を有することを特徴とする通信制御装置。
【請求項９】
通信制御装置と複数の基地局と無線受信装置とを含み、前記複数の基地局のうちの２以上の基地局が共通する内容のデータを共通の周波数を用いて前記無線受信装置に送信する無線通信システムで用いられる基地局であって、
前記通信制御装置からの指示に応じて、前記共通する内容のデータを送信する送信部と、
自局が無線通信に用いる第１の周波数帯域についての情報を前記通信制御装置に通知し、前記共通する内容のデータの送信に用いる第２の周波数帯域についての情報を前記通信制御装置から取得し、前記第２の周波数帯域についての情報に基づいて、前記送信部による前記共通する内容のデータの送信を制御する制御部と、
を有することを特徴とする基地局。
【請求項１０】
通信制御装置と複数の基地局と無線受信装置とを含み、前記複数の基地局のうちの２以上の基地局が共通する内容のデータを共通の周波数を用いて前記無線受信装置に送信する無線通信システムの無線通信方法であって、
前記２以上の基地局それぞれが、自局が無線通信に用いる第１の周波数帯域についての情報を前記通信制御装置に通知し、
前記通信制御装置が、前記２以上の基地局から通知された前記第１の周波数帯域についての情報に基づいて、前記共通する内容のデータの送信に用いる第２の周波数帯域を選択し、選択した前記第２の周波数帯域についての情報を前記２以上の基地局に通知し、
前記２以上の基地局が、前記通信制御装置から通知された前記第２の周波数帯域についての情報に基づいて、前記共通する内容のデータの送信を行う、
ことを特徴とする無線通信方法。
【国際調査報告】
2012063317.tif 000027
2012063317.tif 000028
2012063317.tif 000029
2012063317.tif 000030